【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
貯湯タンクと、
前記貯湯タンクに接続された出湯管と、
前記貯湯タンク及び前記出湯管と接続された給水管と、
前記貯湯タンク内の湯水を加熱する加熱手段と、
前記給水管への通水を検出する通水センサと、
前記出湯管の前記貯湯タンクとの接続部と前記給水管との接続部間に設けられて、前記出湯管の開度を変更する湯量可変弁と、
前記給水管の前記貯湯タンクとの接続部と前記出湯管との接続部間に設けられて、前記給水管の開度を変更する水量可変弁と、
前記貯湯タンク内の湯水の温度を検出する貯湯温度センサと、
前記出湯管と前記給水管との接続部の下流側で前記出湯管の途中に設けられ、前記出湯管を流通する湯水を加熱する給湯器と、
目標給湯温度を設定する給湯温度設定手段と、
前記通水センサにより通水が検出され、且つ、前記貯湯温度センサの検出温度が前記目標給湯温度に応じて設定された湯切れ判定温度よりも高いときは、前記給湯器による加熱を禁止して、前記出湯管から前記目標給湯温度の湯が供給されるように、前記湯量可変弁と水量可変弁により前記貯湯タンクから前記出湯管に供給される湯と前記給水管から前記出湯管に供給される水との混合比を調節する混合温調制御を実行し、前記通水センサにより通水が検出され、且つ、前記貯湯温度センサの検出温度が前記湯切れ判定温度以下であるときには、前記出湯管から前記目標給湯温度の湯が供給されるように、前記給湯器による加熱を行う加熱温調制御を実行する温調制御手段とを備えた給湯システムにおいて、
前記出湯管と前記給水管の接続部の下流側の付近に設けられて、該接続部から前記出湯管に供給される湯水の温度を検出する混合温度センサを備え、
前記温調制御手段は、前記加熱温調制御を開始したときに、前記湯量可変弁と前記水量可変弁とにより前記混合比を調節して、前記混合温度センサの検出温度を、前記目標給湯温度から前記給湯器により最小能力で加熱したときの温度上昇の想定値である最小能力温度を減じた温度から、所定時間をかけて第１所定温度低下させた後に、前記湯量可変弁と前記水量可変弁を最大開度付近まで開弁することを特徴とする給湯システム。
【請求項２】
請求項１記載の給湯システムにおいて、
前記所定時間は、前記混合温度センサの検出温度が前記第１所定温度低下するのに追従して、前記給湯器の加熱能力を増大させて、前記給湯器から前記目標給湯温度の湯を供給することができる時間に設定されていることを特徴とする給湯システム。
【請求項３】
貯湯タンクと、
前記貯湯タンクに接続された出湯管と、
前記貯湯タンク及び前記出湯管と接続された給水管と、
前記貯湯タンク内の湯水を加熱する加熱手段と、
前記給水管への通水を検出する通水センサと、
前記出湯管の前記貯湯タンクとの接続部と前記給水管との接続部間に設けられて、前記出湯管の開度を変更する湯量可変弁と、
前記給水管の前記貯湯タンクとの接続部と前記出湯管との接続部間に設けられて、前記給水管の開度を変更する水量可変弁と、
前記貯湯タンク内の湯水の温度を検出する貯湯温度センサと、
前記出湯管と前記給水管との接続部の下流側で前記出湯管の途中に設けられ、前記出湯管を流通する湯水を加熱する給湯器と、
目標給湯温度を設定する給湯温度設定手段と、
前記通水センサにより通水が検出され、且つ、前記貯湯温度センサの検出温度が前記目標給湯温度に応じて設定された湯切れ判定温度よりも高いときは、前記給湯器による加熱を禁止して、前記出湯管から前記目標給湯温度の湯が供給されるように、前記湯量可変弁と水量可変弁により前記貯湯タンクから前記出湯管に供給される湯と前記給水管から前記出湯管に供給される水との混合比を調節する混合温調制御を実行し、前記通水センサにより通水が検出され、且つ、前記貯湯温度センサの検出温度が前記湯切れ判定温度以下であるときには、前記出湯管から前記目標給湯温度の湯が供給されるように、前記給湯器による加熱を行う加熱温調制御を実行する温調制御手段とを備えた給湯システムにおいて、
前記出湯管と前記給水管の接続部の下流側の付近に設けられて、該接続部から前記出湯管に供給される湯水の温度を検出する混合温度センサを備え、
前記温調制御手段は、前記加熱温調制御において、前記貯湯温度センサの検出温度が、前記湯切れ判定温度よりも低く設定された完全湯切れ判定温度よりも高いときは、前記混合温度センサの検出温度が、前記目標給湯温度から前記給湯器の最小能力での加熱による温度上昇分の想定値である最小能力温度を減じた温度となるように、前記湯量可変弁と前記水量可変弁とにより前記混合比を調節し、前記貯湯温度センサの検出温度が前記完全湯切れ判定温度以下であるときには、前記湯量可変弁と前記水量可変弁を最大開度付近まで開弁することを特徴とする給湯システム。
【請求項４】
請求項３記載の給湯システムにおいて、
前記給水管から前記出湯管に供給される水の温度を検出する入水温度センサを備え、
前記完全湯切れ判定温度は、前記入水温度センサの検出温度又は該検出温度よりも第２所定温度高い温度に設定されていることを特徴とする給湯システム。
【請求項５】
請求項１から請求項４のうちいずれか１項記載の給湯システムにおいて、
前記給湯器は、前記出湯管の途中箇所に設けられた熱交換器と、該熱交換器をバイパスして該熱交換器の上流側と下流側で前記出湯管を連通する給湯バイパス管と、該給湯バイパス管の開度を変更するバイパス可変弁とを有し、
前記温調制御手段は、前記混合温調制御を実行するときに、前記バイパス可変弁を最大開度付近まで開弁することを特徴とする給湯システム。
【手続補正２】
【補正対象書類名】明細書
【補正対象項目名】００３４
【補正方法】変更
【補正の内容】
【００３４】
そして、マイクロコンピュータ等により構成された電子ユニットである給湯コントローラ２０に、給湯器サーミスタ１６による温度検出信号と、給湯水量センサ２１による通水流量の検出信号と、湯張り水量センサ２２による通水流量の検出信号とが入力される。また、給湯コントローラ２０から出力される制御信号によって、バイパスサーボ弁１４と、水量サーボ１５と、バーナ１２と、湯張り弁１９の作動が制御される。
【手続補正３】
【補正対象書類名】明細書
【補正対象項目名】００３８
【補正方法】変更
【補正の内容】
【００３８】
図２のＳＴＥＰ１でタンクユニット３０の電源がＯＮされるとＳＴＥＰ２に進み、タンクコントローラ５０は、湯量可変弁３４を全閉にし、次のＳＴＥＰ３で水量可変弁３５を全開にする。そして、タンクコントローラ５０は、続くＳＴＥＰ４でバイパス弁３８を開弁する。また、タンクコントローラ５０は、ＳＴＥＰ５で給湯コントローラ２０に対して加熱禁止を指示する信号を送信し、これにより給湯器１０による加熱温調制御の実行が禁止される。また、タンクコントローラ５０は、次のＳＴＥＰ６で、給湯コントローラ２０に対してバイパスサーボ弁１４の全開を指示する信号を送信し、これによりバイパスサーボ弁１４が全開状態となる。
【手続補正４】
【補正対象書類名】明細書
【補正対象項目名】００５４
【補正方法】変更
【補正の内容】
【００５４】
但し、入湯温度：入湯サーミスタ３３又は貯湯サーミスタ４２の検出温度、入水温度：入水サーミスタ４４の検出温度。
なお、上記式（１）により算出された混合設定温度と、上記式（２）により算出された混合設定温度との差が、本発明の第１所定温度に相当する。
【手続補正５】
【補正対象書類名】明細書
【補正対象項目名】００６６
【補正方法】変更
【補正の内容】
【００６６】
次に、ＳＴＥＰ５１〜ＳＴＥＰ５２は、貯湯タンク３１が湯切れ状態であるが完全湯切れ状態には至っていないとき（貯湯サーミスタ４２の検出温度が、完全湯切れ判定温度よりも高く、湯切れ判定温度以下であるとき）の処理である。